(57)【要約】 【課題】  コネクタの低背化を図る。【解決手段】  フレーム７０には、スライダ収容空間７５が形成されるとともにハウジング収容空間７４が形成され、ハウジング収容空間７４とスライダ収容空間７５との間は、内壁７８によって仕切られている。スライダ５０は、ハウジング収容空間７４に臨むカム溝５１を有し、このカム溝５１に雄ハウジング３０のカムピン３０を係合させた状態で嵌合方向とほぼ直交する方向へ移動することで雄ハウジング３０を嵌合位置に引き寄せる。内壁７８には、肉厚を減する除肉部７９が形成され、この除肉部７９に、各分割ハウジング１１のフード部１３の周壁１９が進入することで、この周壁１９がスライダ５０のスライダ本体部５３に近接して配される。【選択図】  図１０
2005183297.tif 000002
【特許請求の範囲】
【請求項１】
互いに嵌合可能な雌雄のコネクタハウジングと、このうちの一方のコネクタハウジングが組み付けられるフレームとを備え、
前記フレームには、スライダの進入を許容するスライダ収容空間が形成されるとともに前記雌雄のコネクタハウジングの進入を許容するハウジング収容空間が形成され、且つ、前記ハウジング収容空間と前記スライダ収容空間との間には、内壁が設けられており、
前記スライダは、前記ハウジング収容空間に臨むカム部を有し、このカム部に他方のコネクタハウジングに設けられたカムピンを係合させた状態で嵌合方向とほぼ直交する方向へ移動することで前記他方のコネクタハウジングを嵌合位置に引き寄せるようにするコネクタにおいて、
前記内壁には、肉厚を減する除肉部が形成され、この除肉部に、前記一方のコネクタハウジングの外壁が進入することで、この一方のコネクタハウジングの外壁が前記スライダ収容空間に収容された前記スライダに近接もしくは当接して配されることを特徴とするコネクタ。
【請求項２】
前記除肉部は、前記内壁を貫通して設けられ、前記一方のコネクタハウジングの外壁と前記内壁とは、前記スライダ収容空間を形成する面側においてほぼ面一となっていることを特徴とする請求項１に記載のコネクタ。
【請求項３】
前記一方のコネクタハウジングは、筒状のフード部を備え、このフード部内に前記他方のコネクタハウジングが嵌合可能とされ、前記一方のコネクタハウジングの外壁は、前記フード部の周壁によって構成されており、
前記フード部の周壁と前記内壁とは、前記ハウジング収容空間を形成する面側においてほぼ面一となっていることを特徴とする請求項１または請求項２に記載のコネクタ。
【発明の詳細な説明】
【技術分野】
【０００１】
本発明は、スライダを用いて低嵌合力で嵌合操作できるようにしたコネクタに関する。
【背景技術】
【０００２】
従来より、この種のコネクタとしては、以下の特許文献１に記載のものが知られている。このものは、２つの分割ハウジングと、それらを収容するフレームと、このフレームに装着されるスライダとを備えている。フレームは、嵌合方向に貫通する矩形枠状に形成されており、中仕切壁により仕切られた左右２室に各分割ハウジングが収容されている。また、フレームの上下両壁の外側にはカバーが対向配置され、このカバーとフレームの上下両壁との間にはスライダが収容されるスライダ収容空間が形成されている。
スライダは、相手ハウジングのカムピンと係合可能なカム溝を有しており、このカム溝にカムピンを係合させた状態からフレームに対して嵌合方向と直交する方向へ押し込まれることにより、そのカム作用に基づいて相手ハウジングをフレーム内へ引き寄せるものである。
【特許文献１】特開平１０−１７２６５１号公報（第１３図）
【発明の開示】
【発明が解決しようとする課題】
【０００３】
従来の場合には、分割ハウジングの外壁の外側にフレームの上下両壁が配され、フレームの上下両壁の外側にスライダ挿入空間が形成され、さらにスライダ挿入空間の外側にカバーが配される態様となっているから、コネクタ全体として高さ寸法が増大する傾向にあった。この結果、コネクタ低背化の要請に応え難いという事情があった。
【０００４】
本発明は上記のような事情に基づいて完成されたものであって、コネクタの低背化を図ることを目的とする。
【課題を解決するための手段】
【０００５】
上記の目的を達成するための手段として、請求項１の発明は、互いに嵌合可能な雌雄のコネクタハウジングと、このうちの一方のコネクタハウジングが組み付けられるフレームとを備え、前記フレームには、スライダの進入を許容するスライダ収容空間が形成されるとともに前記雌雄のコネクタハウジングの進入を許容するハウジング収容空間が形成され、且つ、前記ハウジング収容空間と前記スライダ収容空間との間には、内壁が設けられており、前記スライダは、前記ハウジング収容空間に臨むカム部を有し、このカム部に他方のコネクタハウジングに設けられたカムピンを係合させた状態で嵌合方向とほぼ直交する方向へ移動することで前記他方のコネクタハウジングを嵌合位置に引き寄せるようにするコネクタにおいて、前記内壁には、肉厚を減する除肉部が形成され、この除肉部に、前記一方のコネクタハウジングの外壁が進入することで、この一方のコネクタハウジングの外壁が前記スライダ収容空間に収容された前記スライダに近接もしくは当接して配される構成としたところに特徴を有する。
【０００６】
請求項２の発明は、請求項１に記載のものにおいて、前記除肉部は、前記内壁を貫通して設けられ、前記一方のコネクタハウジングの外壁と前記内壁とは、前記スライダ収容空間を形成する面側においてほぼ面一となっているところに特徴を有する。
【０００７】
請求項３の発明は、請求項１または請求項２に記載のものにおいて、前記一方のコネクタハウジングは、筒状のフード部を備え、このフード部内に前記他方のコネクタハウジングが嵌合可能とされ、前記一方のコネクタハウジングの外壁は、前記フード部の周壁によって構成されており、前記フード部の周壁と前記内壁とは、前記ハウジング収容空間を形成する面側においてほぼ面一となっているところに特徴を有する。
【発明の効果】
【０００８】
＜請求項１の発明＞
ハウジング収容空間とスライダ収容空間との間を仕切る内壁には、肉厚を減ずる除肉部が形成され、この除肉部に一方のコネクタハウジングが進入することで、この一方のコネクタハウジングの外壁がスライダ収容空間に収容されたスライダに近接もしくは当接して配されるから、内壁の肉厚を減じた分、コネクタを低背化できる。
【０００９】
＜請求項２の発明＞
除肉部は、内壁を貫通して設けられ、一方のコネクタハウジングの外壁と内壁とは、スライダ収容空間を形成する面側においてほぼ面一となっているから、スライダ収容空間に挿入されるスライダの挿入安定性が向上する。
【００１０】
＜請求項３の発明＞
フード部の周壁と内壁とは、ハウジング収容空間を形成する面側においてほぼ面一となっているから、内壁にフード部としての機能を担わせることが可能となり、内壁側からフード部側へ向かう他方のコネクタハウジングの嵌合動作の円滑性が保障される。
【発明を実施するための最良の形態】
【００１１】
本発明の実施形態を図１ないし図１４によって説明する。本実施形態のコネクタは、雌側のコネクタハウジング（本発明の一方のコネクタハウジングに相当する。以下、雌ハウジング１０と言う。）と、雄側のコネクタハウジング（本発明の他方のコネクタハウジングに相当する。以下、雄ハウジング３０と言う。）と、嵌合操作用のスライダ５０と、フレーム７０とを備えている。雌ハウジング１０は、さらに２つの分割ハウジング１１により構成されている。フレーム７０にスライダ５０を装着させて仮係止位置に留め置くとともに、同フレーム７０に各分割ハウジング１１を装着させ、その状態で雄ハウジング３０を各分割ハウジング１１と対応する位置に配した後、スライダ５０を本係止位置側へ押し込み、雄ハウジング３０に設けられたカムピン３１とスライダ５０に設けられたカム溝５１（本発明のカム部に相当する。）との間でカム作用を発揮させることにより、雄ハウジング３０を各分割ハウジング１１側へ引き寄せて正規嵌合状態としている（後に詳述する。)。なお、以下においては、雌雄の両ハウジング１０，３０の嵌合面側を前方として説明する。
【００１２】
各分割ハウジング１１は、合成樹脂材により形成され、図１乃至図４に示すように、ブロック状のハウジング本体部１２と、このハウジング本体部１２の前後方向の中央部に接続される角筒状のフード部１３とを備えている。ハウジング本体部１２には、複数のキャビティ１４が整列して形成され、後方から雌端子金具（図示せず）が挿入されて収容可能とされている。ハウジング本体部１２のうち上下２段に分かれた各キャビティ１４の間には、図１０に示すように、ショート端子装着孔１５が前面に開口して設けられ、内部にはショート端子８０が収容されている。ショート端子８０は、隣り合う両雌端子金具に接続可能とされ、両雌端子金具間に電位差が生じないようにしている。
【００１３】
ハウジング本体部１２の外周のうちフード部１３と対応する位置には、ゴム部材８１が環着されている。フード部１３とハウジング本体部１２との間には雄ハウジング３０のフード３２が嵌入されるが、この雄ハウジング３０との間のシールがゴム部材８１によって取られるようになっている。また、ハウジング本体部１２の外周のうちフード部１３よりも前方には、図７及び図１０に示すように、リテーナ８２が装着されている。リテーナ８２は、雌端子金具の挿抜を許容する仮係止位置と、雌端子金具を抜け止め保持する本係止位置との間を変位可能とされ、仮係止位置でキャビティ１４から離れて配されるとともに本係止位置でキャビティ１４内に進入して雌端子金具と係合する係止部８３を備えて構成されている。このリテーナ８２は、横方向にスライド可能なサイドタイプとなっている。
【００１４】
各分割ハウジング１１は、フレーム７０に対して横方向つまり嵌合方向と直交する方向に装着される。ハウジング本体部１２のうちフード部１３よりも後方には、フレーム７０に設けられたロック受け部７１と弾性的に係合可能なロック部１６が設けられている。ロック部１６は、図８に示すように、ハウジング本体部１２の上壁及び下壁の対称２位置に設けられ、ハウジング本体部１２の幅方向一側寄りの位置に基端部を接続させ、フレーム７０への挿入方向に沿って延出されて片持ち状に撓み可能となっている。ロック部１６の延出端にはロック突起１７が設けられている。ロック突起１７は、図１及び図４に示すように、２つの分割ハウジング１１の夫々で異なる位置に設けられており、フレーム７０への挿入方向に沿う同一軸上には位置しないよう設定されている。具体的には２つの分割ハウジング１１のうちフレーム７０に対して先に挿入される分割ハウジング１１は、ロック部１６の奥行き幅の前側に設けられ、あとから挿入される分割ハウジング１１は、ロック部１６の奥行き幅の後側に設けられている。フレーム７０には各ロック突起１７と対応する位置にロック受け部７１が形成されているが、ロック突起１７の形成位置を前後にずらすことにより、先に挿入される分割ハウジング１１のロック突起１７があとから挿入される分割ハウジング１１用のロック受け部７１に嵌り込まないようになっている。
【００１５】
フード部１３は、図１０に示すように、ハウジング本体部１２に接続される立壁１８と、この立壁１８の立ち上がり端からハウジング本体部１２の周りを距離を置いて被覆する周壁１９とを備え、全体として断面Ｌの字形をなしている。フード部１３の周壁７９は、前後に短く延出され、ハウジング本体部１２に環着されるゴム部材８１の長さと対応している。フード部１３の上下の周壁１９には、図４に示すように、略Ｕの字形をなして前縁側に開口する切り欠き２０が形成されている。この切り欠き２０は、雄ハウジング３０との嵌合時にカムピン３１を逃すためにある。
【００１６】
また、フード部１３の立壁１８の後面には、図３に示すように、フレーム７０への挿入方向に沿ってガイド部２１が延設されている。ガイド部２１は、図１０に示すように、フレーム７０に設けられた被ガイド部７２と係合可能とされ、フレーム７０への挿入過程で被ガイド部７２と摺動して各分割ハウジング１１の挿入安定性を保障している。このガイド部２１は、図３に示すように、２つの分割ハウジング１１のそれぞれで異なる厚みをもって設けられている。具体的には２つの分割ハウジング１１のうち先にフレーム７０に挿入される分割ハウジング１１のガイド部２１は、あとからフレーム７０に挿入される分割ハウジング１１のガイド部２１よりも厚みが細くなっている。これと対応するように、被ガイド部７２は、フレーム７０の奥側に設けられたもの（先に挿入される分割ハウジング１１に対応）が細溝でフレーム７０の挿入口側に設けられたもの（あとから挿入される分割ハウジング１１に対応）が太溝として構成されている。これにより、あとからフレーム７０に挿入される分割ハウジング１１が誤って先に挿入されても、厚みの太いガイド部２１はフレーム７０の奥側に設けられた細溝に進入することがないので、各分割ハウジング１１の組み付け順が逆にならないようになっている。
【００１７】
続いて、雄ハウジング３０の構造を説明する。雄ハウジング３０は、合成樹脂材により形成され、図１４に示すように、横長ブロック状の１つのハウジング本体３４と、このハウジング本体３４の前面に配される左右２つのフード３２とを備えている。左右２つのフード３２は、２つの分割ハウジング１１の夫々に対応して設けられ、ハウジング本体３４の幅方向中央部にて一体に接合されている。各フード３２の上下両壁の先端には、スライダ５０に設けられたカム溝５１と係合可能なカムピン３１が突設されている。このカムピン３１は、円柱状の本体部３１Ａと、これより大径の頭部３１Ｂとにより構成されている。そして、カムピン３１は、左右のフード３２で異なる位置に設けられている。具体的には、図１４の右側のフード３２は、左右方向の中央部にカムピン３１が設けられ、左側のフード３２は、左右方向の中央部より少し右寄りの位置にカムピン３１が設けられている。これにより、各分割ハウジング１１に対する誤嵌合防止がとられている。
【００１８】
雄ハウジング３０のフード３２内には、雄端子金具のタブ４０がハウジング本体３４から突出して設けられている。タブ４０は、相手側の雌端子金具と対応するようにして上下２段に分かれて配されており、その間に、絶縁性の解除片３３が突出して設けられている。解除片３３は、各分割ハウジング１１への嵌合にともないショート端子装着孔１５に進入し、ショート端子８０と係合して短絡状態を解除可能となっている。また、フード３２の４角には略垂直方向に突出する突条３５が設けられている。フレーム７０には、図２に示すように、突条３５と対応する形態の案内溝７３が設けられている。突条３５が案内溝７３に嵌合されることにより、雄ハウジング３０が位置ずれを起こすことなく嵌合されるようになる。
【００１９】
続いて、スライダ５０の構造を説明する。スライダ５０は、同じく合成樹脂材により形成され、図５に示すように、押し込み部となる基部５２の両端から一対のスライダ本体部５３が突出することで、全体として門型に形成されている。基部５２の両端からスライダ本体部５３に連なる部分には、作業者の手指で摘み容易な形態の摘み部５４が設けられている。スライダ本体部５３の左右２位置には、雄ハウジング３０のカムピン３１と係合可能なカム溝５１が設けられている。各カム溝５１は、図４に示すように、４５度以下で緩やかに傾斜する誘導部５４と、誘導部５４の下端に連なって水平に延びる終端部５５と、誘導部５４の上端に連なってスライダ本体部５３の前縁に対しほぼ直角に交わるよう開口するカムピン導入口としての始端部５６とにより構成される。
【００２０】
また、スライダ本体部５３の後縁側の左右２位置には、スライダ５０をフレーム７０に留め置くための第１及び第２の係止部５７，５８が設けられている。第１の係止部５７は、基部５２寄りの位置に設けられ、第２の係止部５８は、基部５２から離れた位置に設けられている。各係止部５７，５８は、それぞれ同形、同大に形成され、スライダ本体部５３の薄肉とされた部分にコの字形の切り込みを入れることにより、その切り込み間で片持ち状に撓み可能となっている。また、各係止部５７，５８は、フレーム７０に対するスライダ５０の挿入方向に沿った同一軸上に並んで設けられ、スライダ５０の挿入方向に延出されている。各係止部５７，５８の延出端には係止突起５９が設けられている。係止突起５９は、フレーム７０に設けられた第１及び第２の係止受け部８７，８８（後述する。）に弾性的に嵌合可能となっている。
【００２１】
続いて、フレーム７０の構造を説明する。フレーム７０は、図２及び図３に示すように、前後両面と右側面が開口されたボックス状に形成されている。フレーム７０の前面の開口部は、図２に示すように、雄ハウジング３０のフード３２の前面形状に対応する形態をなし、前方から挿入される雄ハウジング３０の挿入口となっている。一方、フレーム７０の右側面の開口部は、各分割ハウジング１１の側面形状に対応する形態をなし、右側方から挿入される分割ハウジング１１の挿入口となっている。フレーム７０の後面の開口部からは雌端子金具に固着された電線群（図示せず）が引き出し可能となっている。
【００２２】
フレーム７０には、図１０に示すように、上記の各開口部を構成するハウジング収容空間７４が形成され、このハウジング収容空間７４に各分割ハウジング１１と雄ハウジング３０が進入することで、双方の嵌合動作が進行するようになっている。また、ハウジング収容空間７４の外側には、スライダ５０の進入を許容するスライダ収容空間７５が形成されている。スライダ収容空間７５は、フレーム７０における分割ハウジング１１の挿入口とは反対側の左側面に開口して形成され、この開口部が左側方から挿入されるスライダ５０の挿入口となっている。スライダ収容空間７５を形成するフレーム７０の上下の外壁８６には、図１及び図４に示すように、スライダ５０の挿入口に開口する略Ｕの字形の逃し溝７７が形成されている。スライダ５０をフレーム７０に押し込む際、スライダ５０を摘む手指が逃し溝７７によって逃されるようになっている。また、スライダ収容空間７５とハウジング収容空間７４との間は、図１０に示すように、内壁７８によって仕切られているが、この内壁７８は、後述するように、除肉部７９（後述する。）等が介在することで前後方向に非連続となっている。
【００２３】
スライダ収容空間７５を形成するフレーム７０の外壁８６には、図３に示すように、スライダ５０に設けられた第１及び第２の係止部５７，５８と係合可能な第１及び第２の係止受け部８７，８８が設けられている。第１の係止受け部８７は、フレーム７０においてスライダ５０の挿入口寄りの位置に設けられ、第２の係止受け部８８は、フレーム７０においてスライダ５０の挿入口から離れた位置に設けられている。各係止受け部８７，８８は、各係止部５７，５８の係止突起５９を嵌め入れ可能なように外壁８６に凹み形成されている。各係止受け部８７，８８を形成する際、フレーム７０の後面から型抜きがなされるため、各係止受け部８７，８８は、フレーム７０の後面に開口して形成されるようになる。
【００２４】
第２の係止部５８は、図８に示すように、スライダ５０の押し込み途中で、係止突起５９がスライダ収容空間７５の溝壁に乗り上げられることに起因してスライダ収容空間７５側へ撓み変形するが、係止突起５９が第１の係止受け部８７に嵌り込むとともに弾性復元される。この仮係止位置で、スライダ５０は、フレーム７０に対して移動が規制された状態で留め置かれ、且つ、スライダ５０のカム溝５１が、フレーム７０のカム案内溝７６（後述する。）と整合する。
【００２５】
この仮係止位置からさらにスライダ５０を押し込むと、第２の係止部５８は、図９に示すように、第１の係止受け部８７との係合を解除して再び撓み変形するが、第２の係止受け部８８と対応する位置に至ることで弾性復元される。一方、第１の係止部５７は、第２の係止部５８が撓み変形する間、同じように撓み変形し、第２の係止部５８が第２の係止受け部８８と対応する位置に至るとともに、第１の係止受け部８７と対応する位置に至って弾性復元される。この本係止位置で、スライダ５０は、フレーム７０に対して強固に保持され、且つ、雄ハウジング３０が、スライダ５０とのカム作用に基づいて各分割ハウジング１１と正規嵌合される。
【００２６】
フレーム７０には、図２に示すように、内壁７８を貫通してハウジング収容空間７４とスライダ収容空間７５とを連通させるとともに前面に開口するカム案内溝７６が設けられている。スライダ５０は、フレーム７０に装着されることにより、カム案内溝７６を通してカム溝５１をハウジング収容空間７４側に臨ませ、カムピン３１に係合可能となっている。
【００２７】
また、フレーム７０には、図４に示すように、後面に開口するとともにハウジング収容空間７４側に開口するロック受け部７１が設けられている。このロック受け部７１は、各分割ハウジング１１のロック突起１７と対応する位置に切り欠き形成されている。各分割ハウジング１１がフレーム７０に収容されると、各分割ハウジング１１のロック部１６が撓み変形しつつ内壁７８の内側面に乗り上げられ、各分割ハウジング１１が正規の配設位置に至るとともに、ロック部１６が弾性復元されてロック突起１７がロック受け部７１に嵌り込み、各分割ハウジング１１がフレーム７０に抜け止め状態で保持されるようになっている。なお、図４に示すように、右側に位置するロック受け部７１は、左側に位置するロック受け部７１と比べて浅く切り欠かれており、既述したように、先に挿入される分割ハウジング１１のロック突起１７が誤って嵌合しないようになっている。
【００２８】
また、フレーム７０の内壁７８には、図１０に示すように、ハウジング収容空間７４側に突出する被ガイド部７２が設けられている。被ガイド部７２は、フレーム７０の上下の内壁７８に左右方向に延出して設けられ、各分割ハウジング１１のガイド部２１と対応する位置にガイド溝７２Ａを設けて構成されている。各分割ハウジング１１は、ガイド部２１をガイド溝７２Ａに係合させた状態で被ガイド部７２に沿って正規の配設位置へ誘導されるようになっている。
【００２９】
さて、フレーム７０の内壁７８には、図１０に示すように、ハウジング収容空間７４からスライダ収容空間７５にかけて貫通する除肉部７９が設けられている。具体的には除肉部７９は、上記した被ガイド部７２に隣接する位置で、且つ各分割ハウジング１１のフード部１３と対応する位置に設けられており、フード部１３の周壁７９を嵌合可能な態様で左右方向に延出して形成されている。フード部１３の周壁７９は、図１０に示すように、除肉部７９に進入することでスライダ収容空間７５側へ露出され、この露出部分にスライダ本体部５３の外面を沿わせて構成される。そして、フード部１３の周壁７９は、除肉部７９に進入することにより、フレーム７０の内壁７８と面一状に連続するようになっている。つまり、フード部１３の周壁７９の外面は、内壁７８の外面側（スライダ収容空間７５を形成する面側）とほぼ面一となり、且つ、フード部１３の周壁７９の内面は、内壁７８の内面側（ハウジング収容空間７４を形成する面側）とほぼ面一となる。
【００３０】
本実施形態は上記のような構造であって、続いてその作用を説明する。まず、各分割ハウジング１１にそれぞれ雌端子金具を挿入して収容させるとともに、雄ハウジング３０に雄端子金具を挿入して収容させる。そして、図４乃至図６に示すように、各分割ハウジング１１を側方からフレーム７０のハウジング収容空間７４に挿入する。このとき、各分割ハウジング１１のフード部１３をフレーム７０の除肉部７９に合わせた状態として、各分割ハウジング１１を被ガイド部７２に沿ってスライドさせる。先に挿入される分割ハウジング１１は、ロック部１６をフレーム７０の奥側に位置するロック受け部７１に係合させてその奥側に配設され、あとから挿入される分割ハウジング１１は、ロック部１６をフレーム７０の挿入口側に位置するロック受け部７１に係合させてその挿入口側に配設される。これにより、フード部１３の周壁１９の外面は、スライダ収容空間側に露出された状態となる。
【００３１】
各分割ハウジング１１の組み付けと前後して、スライダ５０を、各分割ハウジング１１の挿入側とは反対側の側方からフレーム７０のスライダ収容空間７５に差し込む。スライダ５０は、図７及び図８に示すように、その第２の係止部５８をフレーム７０の第１の係止受け部８７に係合させることで、仮係止位置に留め置かれる。このとき、スライダ５０の各カム溝５１の始端部５６は、フレーム７０のカム案内溝７６と整合する位置にある。
【００３２】
続いて、雄ハウジング３０を前方からフレーム７０に緩く差し込む。雄ハウジング３０は、突条３５を案内溝７３に合わせて所定量差し込まれると、カムピン３１がカム案内溝７６に臨みつつスライダ５０のカム溝５１の始端部５６に係合される。この状態で、スライダ５０の摘み部５４を摘んで横方向（図１２の矢印方向）にスライダ５０を押し込む。すると、図１２に示すように、このスライダ５０の押し込みにより、カムピン３１がカム溝５１に沿って移動し、そのカム作用に基づいて雄ハウジング３０がフレーム７０のハウジング収容空間７４内に進入する。このとき、スライダ５０のスライダ本体部５３は、フード部１３の周壁１９の外面に沿うようにして配される。
【００３３】
さらにスライダ５０を押し込むと、図１３に示すように、カムピン３１がカム溝５１の誘導部５４を移動して嵌合が進行するとともに、雄ハウジング３０のフード３２の先端が各分割ハウジング１１のハウジング本体部１２とフード部１３との間に挿入されてシールがとられる。カムピン３１がカム溝５１の誘導部５４を通過して終端部５５に至ると、嵌合が停止されて雄ハウジング３０が各分割ハウジング１１と正規に嵌合される。この正規嵌合状態では、雌雄の両端子金具が互いに導通接続される。また、スライダ５０のスライダ本体部５３と各分割ハウジング１１のフード部１３の周壁７９とが、ごく僅かな隙間を空けて互いに近接して配されるようになる。
【００３４】
このように本実施形態によれば、フレーム７０の内壁７８を貫通する除肉部７９が形成され、この除肉部７９に各分割ハウジング１１のフード部１３が進入することで、このフード部１３の周壁７９がスライダ５０のスライダ本体部５３と近接するようになっているから、内壁７８の肉厚分、従来よりもコネクタを低背化できる。
【００３５】
また、除肉部７９に各分割ハウジング１１のフード部１３が進入することで、このフード部１３の周壁７９の外面と内壁７８の外面（スライダ収容空間７５を形成する面）とがほぼ面一となるから、各分割ハウジング１１の進入にともないスライダ収容空間７５を袋状に形成することが可能となり、スライダ５０の挿入安定性が向上する。
【００３６】
さらに、除肉部７９に各分割ハウジング１１のフード部１３が進入することで、このフード部１３の周壁７９の内面と内壁７８の内面（ハウジング収容空間７４を形成する面）とがほぼ面一となるから、内壁７８にフード部１３としての機能を担わせることが可能となる。つまり、フード部１３と内壁７８とであたかもハウジング本体部１２の前側全体を被覆する大きなフード領域が形成されるようになるから、内壁７８側からフード部１３側へ向かう雄ハウジング３０の嵌合動作の円滑性が保障される。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、除肉部が内壁の肉厚を貫通して設けられていたが、本発明においては、除肉部が内壁の肉厚の一部を切除するようにして内壁の内面に凹み形成されていてもよい。
（２）上記実施形態では、除肉部により除肉されても内壁が残存していたが、本発明においては、除肉部が内壁の全てを除去する態様であってもよい。
【００３８】
（３）上記実施形態では、スライダ本体部とフード部とが互いに近接して配されていたが、本発明においては、スライダ本体部とフード部とが互いに当接して配されてもいてもよい。
【００３９】
（４）上記実施形態では、除肉部にフード部が進入するようになっていたが、本発明においては、除肉部にハウジング本体部の外壁の一部が進入するようになっていてもよい。
（５）上記実施形態では、フレームに対して側方から雌ハウジングを挿入するものであったが、本発明においては、フレームに対して前方または後方から雌ハウジングを挿入するものであってもよい。
【図面の簡単な説明】
【００４０】
【図１】本発明の実施形態に係るフレームと各分割ハウジングの平面図
【図２】同じく正面図
【図３】同じく背面図
【図４】スライダと各分割ハウジングを収容したフレームの平面図
【図５】同じく正面図
【図６】同じく背面図
【図７】スライダを仮係止位置に留め置いた状態の正面図
【図８】同じく背面図
【図９】スライダを本係止位置に留め置いた状態の背面図
【図１０】図８のＸ−Ｘ拡大断面図
【図１１】雄ハウジングをフレームに組み付ける前の状態の平面図
【図１２】雄ハウジングを嵌合させる途中の状態の平面図
【図１３】雄ハウジングが正規嵌合された状態の平面図
【図１４】雄ハウジングの正面図
【符号の説明】
【００４１】
１０…雌ハウジング
１１…分割ハウジング
１２…ハウジング本体部
１３…フード部
１６…ロック部
１９…周壁
５０…スライダ
５１…カム溝
５３…スライダ本体部
７０…フレーム
７４…ハウジング収容空間
７５…スライダ収容空間
７８…内壁
７９…除肉部
【図１】
2005183297.tif 000003
【図２】
2005183297.tif 000004
【図３】
2005183297.tif 000005
【図４】
2005183297.tif 000006
【図５】
2005183297.tif 000007
【図６】
2005183297.tif 000008
【図７】
2005183297.tif 000009
【図８】
2005183297.tif 000010
【図９】
2005183297.tif 000011
【図１０】
2005183297.tif 000012
【図１１】
2005183297.tif 000013
【図１２】
2005183297.tif 000014
【図１３】
2005183297.tif 000015
【図１４】
2005183297.tif 000016